(57)【要約】【課題】農作物の生成を良好にし、さらに作業者の作業負担を軽減させることができる。【解決手段】高畝１では、畝３と、畝３と異なる材料からなる畝壁４と、が設けられている。畝壁４は畝３の側方に沿って配され、畝壁４によって畝３が支えられている。【選択図】図１
2017035035.tif 000002
【特許請求の範囲】
【請求項１】
畝と、前記畝と異なる材料からなる畝壁と、が設けられ、
前記畝壁は前記畝の側方に沿って配され、前記畝壁によって前記畝が支えられたことを特徴とする高畝。
【請求項２】
請求項１に記載の高畝において、
前記畝壁に孔が形成され、前記孔に注入管が設けられたことを特徴とする高畝。
【請求項３】
請求項２に記載の高畝において、
前記畝内部に空隙が形成され、前記注入管の先端は前記空隙に配されたことを特徴とする高畝。
【請求項４】
高畝の成形方法において、
畝の外壁となる畝壁を形成する外壁形成工程と、
前記畝を作る畝形成工程と、を有し、
前記外壁形成工程では、前記畝の側方に沿った位置を設定し、設定した位置に前記畝壁を形成し、
前記畝壁によって前記畝を支えることを特徴とする高畝の成形方法。
【請求項５】
請求項４に記載の高畝の成形方法において、
前記畝壁に孔を形成する孔形成工程と、
前記孔形成工程の後に、前記孔に注入管を設ける挿通工程と、を有することを特徴とする高畝の成形方法。
【請求項６】
請求項５に記載の高畝の成形方法において、
前記畝内部に空隙を形成する空隙形成工程を有し、
前記空隙形成工程では、前記注入管の先端を前記空隙に配することを特徴とする高畝の成形方法。
【発明の詳細な説明】
【技術分野】
【０００１】
本発明は、高畝および高畝の成形方法に関する。
【背景技術】
【０００２】
現在の農業では、農園の栽培地に畝を成形し、畝に農作物を植生している。家庭菜園や小規模の農園では、手作業にて畝を成形しているが、大規模農園などでは、畝立て装置などを用いて、栽培地に畝を成形している（例えば、下記する特許文献１参照）。
【０００３】
特許文献１に記載の畝立て装置では、ロータリー耕耘体及び畝整形体を回転駆動させながら進行させ、このロータリー耕耘体にて土壌を順次耕耘させる。そして、畝成形体にて前方に向かって押寄せながら所定の高さ形状の畝に順次畝立て成形し、この畝の表面部を畝整形体の鼓形状の整形面にて締め固める。その結果、畝の表面部を締め固め畝の内部は比較的緩やかに固めた状態に整形し、畝が崩れ難く、水分の発散及び肥料の流失を少なくし、雨水の浸透も少なく、作物の発根性を阻害しない状態に畝立て整形させることができる。
【先行技術文献】
【特許文献】
【０００４】
【特許文献１】特開平０６−２１７６０１号公報
【発明の概要】
【発明が解決しようとする課題】
【０００５】
ところで、特許文献１に記載の畝立て装置によって成形された畝や、手作業で成形された畝では、畝の高さが低い。そのため、育苗から収穫に至る一連の作業において、その殆どが中腰やしゃがんだ姿勢での作業となり、作業者にとっては過酷な労働となる。
【０００６】
また、特許文献１に記載の畝立て装置によって成形された畝や、手作業で成形された畝では、実際に耕されている部分は、栽培地の地面から３０〜４０ｃｍ程度の深さくらいまでとなり、これより深い部分では固い地中のままである。そのため、根や根菜が生長し伸びていっても根や根菜が十分に下向きに伸びることは難しくなる。つまり、このような従来の畝の成形では、根や根菜が生長し難くなる。
【０００７】
そこで、上記課題を解決するために、本発明は、農作物の生成を良好にし、さらに作業者の作業負担を軽減させる高畝および高畝の成形方法を提供することを目的とする。
【課題を解決するための手段】
【０００８】
上記の目的を達成するため、本発明にかかる高畝は、畝と、前記畝と異なる材料からなる畝壁と、が設けられ、前記畝壁は前記畝の側方に沿って配され、前記畝壁によって前記畝が支えられたことを特徴とする。
【０００９】
本発明によれば、前記畝と、前記畝の側方に沿って配された前記畝壁とが設けられ、前記畝壁は前記畝の側方に沿って配され、前記畝壁によって畝が支えられているので、畝自身のみで自立できない高さまで、畝の高さを高く設定することができる。そのため、本発明により前記畝の高さを高く設定することで、農作業において、その殆どにおいて椅子に座った状態や、立った状態の姿勢で作業を行うことができる。また、本発明により前記畝の高さを高く設定することで、耕した土壌からなる前記畝の体積だけ（高くした分だけ）、耕した部分を多く確保することができ、前記畝に植生した農作物の根が生長し伸びていっても、前記畝の高さの分だけで根を下向きに伸ばすことができ、根の生長を良好とすることができる。その結果、本発明によれば、農作物の生成を良好にし、さらに作業者の作業負担を軽減させることができる。
【００１０】
前記構成において、前記畝壁に孔が形成され、前記孔に注入管が設けられてもよい。
【００１１】
この場合、前記畝壁に前記孔が形成され、前記孔に前記注入管が設けられたので、前記注入管から前記畝に腐葉菌などの養分を注入することができる。特に、本構成によれば、前記注入管から腐葉菌などの養分を前記畝に注入する場所を、前記注入管の挿入量で任意に設定することで、農作物の根などが直接養分を注入できる場所に注入箇所を限定することもできる。その結果、腐葉菌などの養分を前記畝に添加する際に、前記畝を耕し前記畝全体に養分を添加して行う必要がなく、前記畝を成形した後であっても腐葉菌などの養分を必要な場所に直接注入することができる。このように、腐葉菌などの養分を前記畝に添加する際に、前記畝を耕す必要が無いため、添加する腐葉菌を露出させることはなく、その結果、腐葉菌を腐らせずに腐葉土を作ることができる。
【００１２】
前記構成において、前記畝内部に空隙が形成され、前記注入管の先端は前記空隙に配されてもよい。
【００１３】
この場合、前記畝内部に前記空隙が形成され、前記注入管の先端は前記空隙に配されるので、前記注入管を用いて注入する腐葉菌などの養分を前記空隙内全体に添加することができる。その結果、前記畝内における前記注入管を用いた腐葉菌などの養分の添加領域を増やすことができる。
【００１４】
上記の目的を達成するため、本発明にかかる高畝の成形方法は、畝の外壁となる畝壁を形成する外壁形成工程と、前記畝を作る畝形成工程と、を有し、前記外壁形成工程では、前記畝の側方に沿った位置を設定し、設定した位置に前記畝壁を形成し、前記畝壁によって畝を支えることを特徴とする。
【００１５】
本発明によれば、前記外壁形成工程と前記畝形成工程とを有し、前記外壁形成工程では、前記畝の側方に沿った位置を設定し、設定した位置に前記畝壁を形成し、前記畝壁によって畝を支えるので、畝自身のみで自立できない高さまで、畝の高さを高く設定することができる。そのため、本発明により前記畝の高さを高く設定することで、農作業において、その殆どにおいて椅子に座った状態や、立った状態の姿勢で作業を行うことができる。また、本発明により前記畝の高さを高く設定することで、耕した土壌からなる畝の体積だけ（高くした分だけ）、耕した部分を多く確保することができ、前記畝に植生した農作物の根が生長し伸びていっても、畝の高さの分だけで根を下向きに伸ばすことができ、根の生長を良好とすることができる。その結果、本発明によれば、農作物の生成を良好にし、さらに作業者の作業負担を軽減させることができる。
【００１６】
前記方法において、前記畝壁に孔を形成する孔形成工程と、前記孔形成工程の後に、前記孔に注入管を設ける挿通工程と、を有してもよい。
【００１７】
この場合、前記孔形成工程と前記挿通工程とを有するので、前記注入管から前記畝に腐葉菌などの養分を注入することができる。特に、本方法によれば、前記注入管から腐葉菌などの養分を前記畝に注入する場所を、前記注入管の挿入量で任意に設定することで、農作物の根などが直接養分を注入できる場所に注入箇所を限定することもできる。その結果、腐葉菌などの養分を前記畝に添加する際に、前記畝を耕し前記畝全体に養分を添加して行う必要がなく、前記畝を成形した後であっても腐葉菌などの養分を必要な場所に直接注入することができる。このように、腐葉菌などの養分を前記畝に添加する際に、前記畝を耕す必要が無いため、添加する腐葉菌を露出させることはなく、その結果、腐葉菌を腐らせずに腐葉土を作ることができる。
【００１８】
前記方法において、前記畝内部に空隙を形成する空隙形成工程を有し、前記空隙形成工程では、前記注入管の先端を前記空隙に配してもよい。
【００１９】
この場合、前記空隙形成工程を有し、前記空隙形成工程では、前記注入管の先端を前記空隙に配するので、前記注入管を用いて注入する腐葉菌などの養分を前記空隙内全体に添加することができる。その結果、前記畝内における前記注入管を用いた腐葉菌などの養分の添加領域を増やすことができる。
【発明の効果】
【００２０】
本発明によれば、農作物の生成を良好にし、さらに作業者の作業負担を軽減させることができる。
【図面の簡単な説明】
【００２１】
【図１】図１は、本実施形態にかかる高畝の概略構成であり、図３に示すＡ−Ａ線概略断面図である。
【図２】図２は、本実施形態にかかる高畝の畝壁とその付属する部材の概略斜視図である。
【図３】図３は、本実施形態にかかる高畝の畝壁とその付属する部材の概略平面図である。
【図４】図４は、本実施形態にかかる注入管とキャップの概略斜視図である。
【図５】図５は、本実施形態にかかる注入管と注入口の概略斜視図である。
【発明を実施するための形態】
【００２２】
以下、本発明の実施形態について図面を参照して説明する。
高畝１では、図１に示すように、蓼などの農作物を栽培するのに適したものであり、畝３と、畝３の外壁となる畝壁４とが設けられ、栽培地の土壌に成形されて畝壁４の外方に溝２が成形されている。本実施形態では、高畝１は、図２，３に示すように、平面視長方形状体であり、長手方向に沿った畝壁４の外方に溝２が成形されている（図１参照）。
【００２３】
畝３は、培養土３１と、白炭などの炭３２とを含み、本実施形態では、炭３２の層の上に培養土３１を積層させて構成されている。畝３内部に、図１に示すように空隙３３が設けられ、下記の注入管５の先端５１が空隙３３に配される設計となっている。
【００２４】
畝壁４は、畝３と異なる材料からなり、本実施形態では畝３の側方を囲むように複数の平らな木板を立てて設けている。畝壁４は、畝３の側方に沿って配され、本実施形態では、図２，３に示すように畝壁４により畝３の側面全周（四側面）を囲っている。この畝壁４によって畝３が支えられるので、自身では立つことができない高さの畝３でも高畝１では設定可能となる。
【００２５】
この畝壁４では、腐葉菌を培養土３１に注入（添加）する注入管５を培養土３１に挿入させるための孔４１が木板に形成されている。
【００２６】
注入管５は、塩化ビニル製であり、孔４１に挿脱自在であり、注入管５の孔４１への挿入量は任意に設定可能である。本実施形態では、注入管５の先端５１が空隙３３に配される位置まで、注入管５を孔４１に挿入する。
【００２７】
上記の通り、注入管５は、孔４１に設けられ、通常、図１に示すように孔４１を通して培養土３１に突き刺した状態で、畝壁４に設置される。培養土３１への腐葉菌の注入を行わない時は、図４に示すように注入管５の注入端５２をキャップ５３で覆い、培養土３１への腐葉菌の注入を行う時は、図５に示すように注入管５の注入端５２に注入口５４を付けて注入口５４から腐葉菌を投入する。本実施形態で注入する腐葉菌は、水溶性のものを用いる。
【００２８】
また、畝壁４の外方には、畝壁４の材料となる木板が倒れるのを防止するとともに畝３が崩れるのを防止する防止部（本実施形態では、杭６とロープ７）を備えている。
【００２９】
杭６は、１０本用い、木板が倒れるのを防止するために、畝壁４の外周面に沿って設置している。
【００３０】
ロープ７は、鉄製であり、畝３の短手方向に配し、対となる杭６を繋げるものである。杭６とロープ７とにより、畝３の形を保持し、畝３が崩れるのを防止し、かつ、畝壁４が倒れるのを防止する。
【００３１】
次に、高畝１の成形方法を以下に説明する。
【００３２】
栽培地の土壌に、畝３の外壁となる畝壁４を形成する（外壁形成工程）。外壁形成工程では、畝３の側方に沿った位置を設定し、設定した位置に畝壁４を形成する。畝壁４を形成した後に、畝壁４の外方に杭６を刺して畝壁４を固定する。このような構成とすることで、畝壁４によって畝３を支える。また、畝壁４を形成した後に、畝壁４の内壁面をビニルで覆ってもよい。
【００３３】
外壁形成工程の後に、畝壁４で囲まれた土壌に、畝３の一部となる炭３２を並べる。ここで並べた炭３２の平面視外寸法がそのまま畝３の平面視外寸法となる。そして、炭３２を並べた後に、炭３２の層の上に培養土３１を積層させて畝３を形成する（畝形成工程）。
【００３４】
畝形成工程の後に、畝壁４に孔４１を形成する（孔形成工程）。
【００３５】
孔形成工程の後に、孔４１に挿脱自在な注入管５を畝壁４に設ける（挿通工程）。
【００３６】
挿通工程の後に、注入管５を用いて畝３内部（培養土３１内）に空隙３３を形成する（空隙形成工程）。具体的には、培養土３１内における注入管５の先端５１に空隙３３を形成する。この空隙３３の成形方法として、注入管５自体を培養土３１に挿脱させてその先端５１あたりの培養土３１に空隙３３を形成させる方法や、もしくは、培養土３１に注入管５を装填させた状態で、注入管５内を棒などで挿通させて、その先端５１あたりの培養土３１に空隙３３を形成させる方法を挙げることができる。
【００３７】
空隙形成工程を終えた後に、注入管５の注入端５２にキャップ５３を嵌めて（図４参照）、高畝１の成形を終える。ここで成形した高畝１の寸法は、以下の通りである。
【００３８】
栽培地である土壌の面を基準に溝２の深さは例えば５０ｍｍであり、溝２の幅は例えば７００ｍｍである。溝２の底面を基準に、畝３の高さは例えば６００〜１０００ｍであり、畝壁４の高さは例えば６００〜１１００ｍｍである。また、高畝１の短手方向の長さは例えば１２００〜１５００ｍｍであり、高畝１の長手方向の長さは例えば３６００ｍｍである。
【００３９】
本実施形態にかかる高畝１によれば、畝３と、畝３の側方に沿って配された畝壁４とが設けられ、畝壁４は畝３の側方に沿って配され、畝壁４によって畝３が支えられているので、畝３の高さを高く設定することができる。そのため、本実施形態により畝３の高さを高く設定することで、農作業において、その殆どにおいて椅子に座った状態や、立った状態の姿勢で作業を行うことができる。また、本実施形態により畝３の高さを高く設定することで、耕した土壌からなる畝３の体積だけ（高くした分だけ）、耕した部分を多く確保することができ、畝３に植生した農作物の根が生長し伸びていっても、畝３の高さの分だけで根を下向きに伸ばすことができ、根の生長を良好にすることができる。その結果、本実施形態によれば、農作物の生成を良好にし、さらに作業者の作業負担を軽減させることができる。
【００４０】
また、畝壁４に孔４１が形成され、孔４１に注入管５が設けられたので、注入管５から畝３に腐葉菌などの養分を注入することができる。特に、本実施形態によれば、注入管５から腐葉菌などの養分を畝３に注入する場所（畝３内の位置）を、注入管５の挿入量で任意に設定することで、農作物の根などが直接養分を注入できる場所に注入箇所を限定することもできる。その結果、腐葉菌などの養分を畝３に添加する際に、畝３を耕し畝３全体に養分を添加して行う必要がなく、畝３を成形した後であっても腐葉菌などの養分を必要な場所に直接注入することができる。このように、腐葉菌などの養分を畝３に添加する際に、畝３を耕す必要が無いため、添加する腐葉菌を露出させることはなく、その結果、腐葉菌を腐らせずに腐葉土を作ることができる。
【００４１】
また、畝３内部に空隙３３が設けられ、注入管５の先端は空隙３３に配されるので、注入管５を用いて注入する腐葉菌などの養分を空隙内全体に添加することができる。その結果、畝３内における注入管５を用いた腐葉菌などの養分の添加領域を増やすことができる。この空隙は、腐葉菌などの養分を添加した後に耕さない（撹拌しない）実施形態に有効に作用する。
【００４２】
また、この培養土３１の空隙３３に腐葉菌を添加することで、腐葉菌を添加する領域を、注入管５の先端５１のみだけではなく、注入管５の先端５１およびその周りの空隙に面する領域全体に拡げることができる。このように、本実施形態では、畝３内部（培養土３１内）の空隙３３において腐葉菌を添加する場所を設けており、注入管５の先端５１を農作物の根の位置に配することで、培養土３１全体を撹拌して培養土３１を耕し腐葉菌を培養土３１に混ぜ込む必要がなく、農作物などを植設した後であっても、腐葉菌の添加を効率良く時間や労力をかけずに行うことができる。また、培養土３１を耕さないので、添加する腐葉菌は、常に畝３中にあり畝３から露出しない。その結果、腐葉菌を腐らせずに腐葉土を作ることができ、培養土３１の養分添加を効率良く図ることができる。
【００４３】
また、畝３は、例えば６００〜１０００ｍｍの高さを有するので、農作業において、実際に椅子に座った状態や、立った状態の姿勢で作業を行うことができ、さらに、畝３の高さの分だけ根の生長を良好とすることができる。特に、実際に耕されている部分を、従来技術のような３００〜４００ｍｍより高くすることが容易にできる。これは、従来技術のように地中を掘ることに比べて、本構成では培養土３１を盛って実際に耕されている部分である畝３を成形するので、容易に深さ（高さ）のある耕土（畝３）を有することができる。
【００４４】
また、本実施形態にかかる高畝１の成形方法によれば、外壁形成工程と畝形成工程とを有し、外壁形成工程では、畝３の側方に沿った位置を設定し、設定した位置に畝壁４を形成し、畝壁４によって畝３を支えるので、畝３の高さを高く設定することができる。そのため、本実施形態により畝３の高さを高く設定することで、農作業において、その殆どにおいて椅子に座った状態や、立った状態の姿勢で作業を行うことができる。また、本実施形態により畝３の高さを高く設定することで、耕した土壌からなる畝３の体積だけ（高くした分だけ）、耕した部分を多く確保することができ、畝３に植生した農作物の根が生長し伸びていっても、畝３の高さの分だけで根を下向きに伸ばすことができ、根の生長を良好とすることができる。その結果、本実施形態によれば、農作物の生成を良好にし、さらに作業者の作業負担を軽減させることができる。
【００４５】
また、孔形成工程と挿通工程とを有するので、注入管５から畝３に腐葉菌などの養分を注入することができる。特に、本方法によれば、注入管５から腐葉菌などの養分を畝３に注入する場所を、注入管５の挿入量で任意に設定することで、農作物の根などが直接養分を注入できる場所に注入箇所を限定することもできる。その結果、腐葉菌などの養分を畝３に添加する際に、畝３を耕し畝３全体に養分を添加して行う必要がなく、畝３を成形した後であっても腐葉菌などの養分を必要な場所に直接注入することができる。このように、腐葉菌などの養分を畝３に添加する際に、畝３を耕す必要が無いため、添加する腐葉菌を露出させることはなく、その結果、腐葉菌を腐らせずに腐葉土を作ることができる。
【００４６】
また、空隙３３形成工程を有し、空隙３３形成工程では、注入管５の先端を空隙３３に配するので、注入管５を用いて注入する腐葉菌などの養分を空隙３３内全体に添加することができる。その結果、畝３内における注入管５を用いた腐葉菌などの養分の添加領域を増やすことができる。この空隙３３は、腐葉菌などの養分を添加した後に耕さない（撹拌しない）実施形態に有効に作用する。
【００４７】
また、空隙３３形成工程を有するので、この培養土３１の空隙３３に腐葉菌を添加することで、腐葉菌を添加する領域を、注入管５の先端５１のみだけではなく、注入管５の先端５１およびその周りの空隙３３に面する領域全体に拡げることができる。このように、本実施形態では、畝３内部（培養土３１内）の空隙３３において腐葉菌を添加する場所を設けており、注入管５の先端５１を農作物の根の位置に配することで、培養土３１全体を撹拌して培養土３１を耕し腐葉菌を培養土３１に混ぜ込む必要がなく、農作物などを植設した後であっても、腐葉菌の添加を効率良く時間や労力をかけずに行うことができる。また、培養土３１を耕さないので、添加する腐葉菌は、常に畝３中にあり畝３から露出しない。その結果、腐葉菌を腐らせずに腐葉土を作ることができ、培養土３１の養分添加を効率良く図ることができる。
【００４８】
なお、畝３は、培養土３１と炭３２とを含んでいれば培養土３１と炭３２との配置は本実施形態に限定されるものではなく、任意に設定してもよい。例えば、培養土３１上に炭３２を積層し、積層した炭３２の上に培養土３１を積層させて畝３を構成してもよい。
【００４９】
畝壁４は、本実施形態に限定されるものではなく、畝３だけでは高さを保つことができない高さからなり、畝３の外周の形状を成形できるものであれば、他の材質からなってもよいが、木材を畝壁４に用いることが好ましい。
【００５０】
畝３に関して、培養土３１と炭３２とを含んでいれば培養土３１と炭３２との配置は限定されるものではなく、任意に設定してもよい。例えば、培養土３１上に炭３２を積層し、積層した炭３２の上に培養土３１を積層させて畝３を構成してもよい。
【００５１】
本実施形態では、畝壁４により畝３の側面全周を囲っているが、これは最適な例である。そのため、例えば、畝３の三側面の外方に畝壁４があってもよい。また、畝３の側面全周の外方に畝壁４があり、そのうち１つの畝壁４にスリットなどの隙間を形成したものであってもよい。
【００５２】
本実施形態では杭６を１０本用いたが、これに限定されるものではなく、任意の本数の杭を用いてよい。
【００５３】
本実施形態では鉄製のロープ７を用いているが、畝３の短手方向に配し対となる杭６を繋げるものであれば、材質は任意に設定可能である。
【００５４】
本実施形態では、外壁形成工程の後に畝形成工程を行っているが、これに限定されるものではなく、畝形成工程の一部を行った後に外壁形成工程を行い、その後に畝形成工程の残り（他部）を行ってもよい。具体的には、栽培地の土壌に、畝３の一部となる炭３２を並べる。ここで並べた炭３２の平面視外寸法がそのまま畝の平面視外寸法となる。炭３２を並べた後に、炭３２の平面視外周に沿って畝３の外壁となる畝壁４を形成する。そして、畝壁４を形成した後に、畝壁４で囲まれた炭３２の層の上に培養土３１を積層させて畝３を形成する。
【００５５】
本実施の形態では、孔形成工程を、畝壁形成工程および畝形成工程の後にしているが、これに限定されるものではなく、畝壁形成工程および畝形成工程の前に畝壁４に孔４１を形成してもよい。
【００５６】
本実施形態では、腐葉菌を水溶性にして注入しているが、これに限定されるものではなく、他の形態であってもよく、例えば粉末であってもよい。
【００５７】
本実施の形態では、図１に示すように畝３の高さと、畝壁４の高さを同じに設定しているが、これに限定されるものではなく、畝３の高さ＞畝壁４の高さとしてもよく、畝３の高さ＜畝壁４の高さとしてもよい。
【００５８】
本実施形態の畝壁４の天面に、刈機走行用のレールを設けてもよい。この場合、高畝１を崩さずに、畝壁４を利用して、蓼などの農作物の刈り補助を行うことができる。
【００５９】
なお、本発明は、その精神や主旨または主要な特徴から逸脱することなく、他のいろいろな形で実施することができる。そのため、上述の実施形態はあらゆる点で単なる例示にすぎず、限定的に解釈してはならない。
【産業上の利用可能性】
【００６０】
本発明は、畝に適用できる。
【符号の説明】
【００６１】
１    高畝
２    溝
３    畝
３１  培養土
３２  炭
３３  空隙
４  畝壁
４１  孔
５  注入管
５１  尖った先端
５２  注入端
５３  キャップ
５４  注入口
６  杭
７  ロープ
【図１】
2017035035.tif 000003
【図２】
2017035035.tif 000004
【図３】
2017035035.tif 000005
【図４】
2017035035.tif 000006
【図５】
2017035035.tif 000007